(57)【要約】【課題】ＲＦＩＤタグ用アンテナ、ＲＦＩＤタグおよび管理システムに関し、アンテナと制御素子とのインピーダンス不整合による通信特性の低下を抑えることを目的とする。【解決手段】アンテナ部３５は、第１の接続端子２７ａと第２の接続端子２７ｂ間に制御素子３を実装する制御素子実装部と、一端側が制御素子実装部に接続され、他端側には閉ループが形成された引出部３２ａ、３３ａと、これらの引出部３２ａ、３３ａそれぞれから左右外方向に延長された延長部３２ｂ、３３ｂとを備え、引出部３２ａ、３２ａに形成されている閉ループＡ、Ｂそれぞれの手前間を整合パターン３４ａにより接続して環状のループ部Ｃを形成し、第１の接続端子２７ａまたは第２の接続端子２７ｂからそれぞれ接続した閉ループＡ、Ｂの手前までの線路長を線路波長λの１／８またはそれよりも短くして整合回路３４を形成した。【選択図】図４
2010081007.tif 000002
【特許請求の範囲】
【請求項１】
第１の接続端子と第２の接続端子間に制御素子を実装するための制御素子実装部と、
一端側が前記制御素子実装部に接続され、他端側には閉ループが形成された複数の引出部と、
これらの引出部それぞれから延長された複数の延長部とを備え、
前記複数の引出部に形成されている前記閉ループそれぞれの手前間を整合パターンにより電気的に接続して環状のループ部を形成し、前記第１の接続端子または前記第２の接続端子からそれぞれに接続した前記閉ループの手前までの線路長を線路波長λの１／８またはそれよりも短くして整合回路を形成したことを特徴とするＲＦＩＤタグ用アンテナ。
【請求項２】
前記整合パターンの線幅を、前記第１の接続端子と前記第２の接続端子から前記閉ループの手前までの線路長より広くしたことを特徴とする請求項１に記載のＲＦＩＤタグ用アンテナ。
【請求項３】
前記整合パターンの線幅を、前記線路波長λの１／８より広くしたことを特徴とする請求項２に記載のＲＦＩＤタグ用アンテナ。
【請求項４】
前記整合パターンにスリットを設け、このスリットの長さと前記第１の接続端子または前記第２の接続端子から前記閉ループの手前までの線路長との和を前記線路波長λの１／８にしたことを特徴とする請求項２または請求項３に記載のＲＦＩＤタグ用アンテナ。
【請求項５】
前記延長部の線路長を前記線路波長λの１／４としたことを特徴とする請求項１から請求項４のいずれか１項に記載のＲＦＩＤタグ用アンテナ。
【請求項６】
請求項１から請求項５のいずれか１項に記載のＲＦＩＤタグ用アンテナと、
このＲＦＩＤタグ用アンテナの第１の接続端子と第２の接続端子間に電気的に接続された制御素子とを備えたことを特徴とするＲＦＩＤタグ。
【請求項７】
請求項６に記載のＲＦＩＤタグと、
このＲＦＩＤタグと交信するリーダライタと、
このリーダライタに接続された管理装置とを備えたことを特徴とする管理システム。
【発明の詳細な説明】
【技術分野】
【０００１】
本発明は、ＲＦＩＤタグ用アンテナ、ＲＦＩＤタグおよび管理システムに関する。
【背景技術】
【０００２】
近年、物流、商品などの管理を効率化するために、ＲＦＩＤ（Ｒａｄｉｏ  Ｆｒｅｑｕｅｎｃｙ  ＩＤｅｎｔｉｆｉｃａｔｉｏｎ）タグが利用されている。ＲＦＩＤタグは、個別識別情報を記憶することができる制御素子を有するので、このＲＦＩＤタグを用いて生産、物流、物品などの管理を行う管理システムが提案されている。
【０００３】
すなわち、ＲＦＩＤタグを管理物品に貼り付けておけば、管理装置に接続されているリーダライタとＲＦＩＤタグとの交信により、個々の管理物品の所在を確認することができるので、管理物品の管理が大幅に効率化される（例えば、特許文献１参照）。
【特許文献１】特開２００５−２２７８１８号公報
【発明の開示】
【発明が解決しようとする課題】
【０００４】
従来の管理システムでは、ＲＦＩＤタグを貼付した管理物品が、例えば洗濯物であった場合に、ＲＦＩＤタグとして洗濯物やその取り付け場所の大きさ、形状などに合うものを使用したいという要望があったが、大きさ、形状によりアンテナ特性が変化して通信特性が低下するといった課題があった。
【０００５】
すなわち、ＲＦＩＤタグは、アンテナと、このアンテナの制御素子実装部に実装された制御素子とを備え、アンテナは、その一端側が制御素子実装部に接続され、他端側が外方に延長された構造となっていた。そしてこのような構造において、ＲＦＩＤタグの大きさ、形状を変えると、アンテナから制御素子実装部までの線路長などが変わってアンテナ特性が変化し、アンテナと制御素子との接続点においてインピーダンスの不整合が生じた場合には高周波電流が反射するなどして通信特性が低下していた。
【０００６】
そこで本発明は、アンテナと制御素子との不整合による通信特性の低下を抑えることを目的とするものである。
【課題を解決するための手段】
【０００７】
そしてこの目的を達成するために本発明のＲＦＩＤタグ用アンテナは、第１の接続端子と第２の接続端子間に制御素子を実装するための制御素子実装部と、一端側が制御素子実装部に接続され、他端側には閉ループが形成された複数の引出部と、これらの引出部それぞれから延長された複数の延長部とを備え、複数の引出部に形成されている閉ループそれぞれの手前間を整合パターンにより電気的に接続して環状のループ部を形成し、第１の接続端子または第２の接続端子からそれぞれに接続した閉ループの手前までの線路長を線路波長λの１／８またはそれよりも短くして整合回路を形成したことを特徴とし、これにより所期の目的を達成するものである。
【０００８】
また、本発明のＲＦＩＤタグは、上記したＲＦＩＤタグ用アンテナと、このＲＦＩＤタグ用アンテナの第１の接続端子と第２の接続端子間に接続される制御素子とを備えたことを特徴とし、これにより所期の目的を達成するものである。
【０００９】
また、本発明の管理システムは、上記したＲＦＩＤタグと、このＲＦＩＤタグと交信するリーダライタと、このリーダライタに接続された管理装置とを備えたことを特徴とし、これにより所期の目的を達成するものである。
【発明の効果】
【００１０】
以上のように本発明のＲＦＩＤタグ用アンテナは、第１の接続端子と第２の接続端子間に制御素子を実装するための制御素子実装部と、一端側が制御素子実装部に接続され、他端側には閉ループが形成された複数の引出部と、これらの引出部それぞれから延長された複数の延長部とを備え、複数の引出部に形成されている閉ループそれぞれの手前間を整合パターンにより電気的に接続して環状のループ部を形成し、第１の接続端子または第２の接続端子からそれぞれに接続した閉ループの手前までの線路長を線路波長λの１／８またはそれよりも短くして整合回路を形成した構造としたので、ＲＦＩＤタグ用アンテナと制御素子とを接続したときにインピーダンスを整合回路により整合させることができ、不整合による通信特性の低下を抑えることが可能となる。
【００１１】
また、本発明のＲＦＩＤタグは、上記したＲＦＩＤタグ用アンテナと、このＲＦＩＤタグ用アンテナの第１の接続端子と第２の接続端子間に接続される制御素子とを備えた構造としたので、ＲＦＩＤタグ用アンテナと制御素子とのインピーダンスを整合回路により整合させることができ、通信特性の低下を抑えることができる。
【００１２】
また、本発明の管理システムは、上記したＲＦＩＤタグと、このＲＦＩＤタグと交信するリーダライタと、このリーダライタに接続された管理装置とを備えた構成としたので、ＲＦＩＤタグはＲＦＩＤタグ用アンテナと制御素子とインピーダンスを整合回路により整合させることができ、通信特性の低下を抑えることができる。これにより、管理物品が離れた場所にあってもリーダライタにより、管理物品に取り付けられたＲＦＩＤタグを読み取ることができ、その結果として効率よく管理物品を管理することができる。
【発明を実施するための最良の形態】
【００１３】
以下、本発明の実施の形態について図面を用いて説明する。
【００１４】
（実施の形態）
まず、図１および図２を参照しながら、本発明の実施の形態における管理システム３０の全体構成および動作について説明する。図１は本発明の実施の形態における管理システム３０の概略構成図、図２は同管理システム３０の電気的なブロック図である。ここでは管理物品１として、例えば、クリーニング業者が集荷した洗濯物などを例にして説明する。
【００１５】
管理物品１は、洗濯物であって不特定多数から集荷された多種多様な大きさ、形状のものがあり、これらの多数の管理物品１が洗濯機に一度に投入されるので、管理が非常に煩雑となる。
【００１６】
そこで本実施の形態では、図１に示すように、ＲＦＩＤタグ２が、例えば安全ピン（図示せず）を利用して各管理物品１の大きさや形状に合わせたＲＦＩＤタグ２が着脱自在に取り付けられている（実際は衣服の裏面側に取り付けられるが、理解を助けるために、図１では衣服などの表面に取り付けている）。
【００１７】
各管理物品１に貼付されたＲＦＩＤタグ２には、図２に示すように制御素子３が搭載され、この制御素子３には個別識別情報を記憶する記憶回路３ａが内蔵されている。
【００１８】
各管理物品１に貼付されたＲＦＩＤタグ２は、それが取り付けられた管理物品１ごとの個別識別情報（例えば顧客名、洗濯物区分、依頼日など）が、受付時に、その制御素子３の記憶回路３ａに記憶されており、これにより、例えば「顧客Ｄさんの洗濯物Ｅが現在どこにあるのか」が、管理されるようになっている。
【００１９】
その管理を行うのが図１に示す管理装置４で、この管理装置４は、そのリーダライタ５を介してＲＦＩＤタグ２と交信し、その内部に設けた記憶回路３ａに記憶された個別識別情報を読み取り、管理するようになっている。
【００２０】
図２は、管理装置４のリーダライタ５と、ＲＦＩＤタグ２の電気的なブロック図を示し、まず管理装置４からの指示によりリーダライタ５の制御回路６から、洗濯、アイロンがけ後の複数の管理物品１の各ＲＦＩＤタグ２に、例えば「顧客Ｄさんの洗濯物Ｅは存在するか」という問い合わせが行われる。
【００２１】
この問い合わせ信号は、変調回路７により、所定の周波数（例えば、９５３ＭＨｚ）の搬送波を変調し、送信回路８、アンテナ９を介して各管理物品１のＲＦＩＤタグ２に向け出力される。
【００２２】
各ＲＦＩＤタグ２は、そのアンテナ部１０で問い合わせ信号を受信し、ダイオード１１とコンデンサ１２で、アンテナ９からの信号の搬送波からＤＣ電圧を発生させ、この発生したＤＣ電圧により、制御回路１３、復調回路１４、変調回路１５、記憶回路３ａを起動する。
【００２３】
すると、制御回路１３からの指示で復調回路１４は、受信信号から上記「顧客Ｄさんの洗濯物Ｅは存在するか」という問い合わせを復調する。
【００２４】
また、制御回路１３は、復調回路１４への指示と同時に、メモリなどの記憶回路３ａに対して記憶している個別識別情報を聞き出している。
【００２５】
記憶回路３ａに記憶された個別識別情報が「顧客Ｄさんの洗濯物Ｅ」である管理物品１に取り付けられたＲＦＩＤタグ２の制御回路１３は、その問い合わせに対して、「顧客Ｄさんの洗濯物Ｅ」であることを、変調回路１５を介してスイッチ１６のＯＮ、ＯＦＦを行うことで応答する。すなわち、スイッチ１６がＯＮすれば、アンテナ部１０のａ点と、グランド部１７のｂ点とが短絡され、逆にスイッチ１６がＯＦＦされればアンテナ部１０のａ点と、グランド部１７のｂ点とが開放される。
【００２６】
ＲＦＩＤタグ２は、このようなスイッチ１６のＯＮ、ＯＦＦの繰り返しパターンにより応答信号を生成し、アンテナ部１０を介してリーダライタ５のアンテナ１８に「顧客Ｄさんの洗濯物Ｅ」であることを返信する。
【００２７】
リーダライタ５では、受信回路１９を介して応答信号が復調回路２０に伝達され、復調した信号により制御回路６は「顧客Ｄさんの洗濯物Ｅ」の存在を確認し、管理装置４へと報告することになる。
【００２８】
また、管理装置４からの指示によりリーダライタ５の制御回路６からＲＦＩＤタグ２に、「顧客Ｄさんの洗濯物Ｅは存在するか」と、問い合わせが行われたにもかかわらず、「顧客Ｄさんの洗濯物Ｅ」を記憶したＲＦＩＤタグ２が存在しない場合には、返信がないので、管理装置４はこの「返信なし」から、「顧客Ｄさんの洗濯物Ｅ」が、この場所（例えば乾燥エリア）には存在しないことを確認する。
【００２９】
なお、リーダライタ５は、図２に示すように、電源回路２１、クロック回路２２を備えている。また、ＲＦＩＤタグ２はアンテナ部１０と制御素子３とのインピーダンス整合用のコンデンサ２３を備えている。
【００３０】
さて以上のようなＲＦＩＤタグ２は、図３のような構成となっている。なお、アンテナ部１０の整合方法については構成の後で述べる。
【００３１】
図３は本発明の実施の形態におけるＲＦＩＤタグ２の正面図であり、この図３に示すように、本実施の形態のＲＦＩＤタグ２は制御素子３とアンテナ部１０とを備え、アンテナ部１０は、表裏面の２枚のシート２４内に水密状態で密封された左右のアンテナ素子２５、２６を有している。アンテナ素子２５、２６は、第１の接続端子２７ａまたは第２の接続端子２７ｂからの線路長がおおよそλ／４の電気長を有するアンテナ素子を構成する。
【００３２】
そして、アンテナ部１０は、第１の接続端子２７ａと第２の接続端子２７ｂ間に制御素子３（図２）を実装するための制御素子実装部２７と、一端側が制御素子実装部２７に接続され、他端側には閉ループ（閉ループＡ、Ｂ）が形成された引出部２５ａ、２６ａと、これらの引出部２５ａ、２６ａから左右外方向に延長された延長部２５ｂ、２６ｂとを備え、引出部２５ａ、２６ａに形成されている閉ループＡ、Ｂそれぞれの手前間を整合パターン２８ａにより電気的に接続して環状のループ部Ｃを形成し、第１の接続端子２７ａまたは第２の接続端子２７ｂからそれぞれに接続した閉ループＡ、Ｂの手前までの線路長を線路波長λの１／８またはそれよりも短くして整合回路２８を形成した構造としたので、後述するようにアンテナ部１０と制御素子３とを接続したときにインピーダンスを整合回路２８により整合させることができ、アンテナ部１０と制御素子３のインピーダンス不整合による通信特性の低下を抑えることが可能となる。なお、λは線路波長の１波長である。
【００３３】
また、引出部２５ａ、２６ａは、延長部２５ｂ、２６ｂ側よりも線幅を広くし、負荷に対する強度を高めている。そして、コーナー部２９に所定の曲率Ｒを設け、機械的な強度を高めて破断しにくくしている。
【００３４】
また、本実施の形態のＲＦＩＤタグ２は、左右のアンテナ素子２５、２６の引出部２５ａ、２６ａそれぞれに閉ループ（閉ループＡ、Ｂ）を設け、この閉ループ（閉ループＡ、Ｂ）には線路長の異なる２つの線路を形成したことにより、広帯域化を図り、ＲＦＩＤタグ２の大きさが小さくなっても周波数帯域を広くするという特徴を有する構成とした。
【００３５】
さらに、本実施の形態のＲＦＩＤタグ２では、制御素子実装部２７の両側に設けたアンテナ素子２５、２６の延長部２５ｂ、２６ｂは図３のようにメアンダ状に形成して狭い面積に収めている。そして、これら両側の延長部２５ｂ、２６ｂは点対称形状とし、指向性の対称性を確保している。
【００３６】
さて以上の説明で本実施の形態におけるＲＦＩＤタグ２の全体的な構成が理解されたところで、本実施の形態の最も大きな特徴点について説明する。
【００３７】
本実施の形態の最も大きな特徴点は、上記した構成により繰り返し曲げ応力などの負荷による断線を抑えるとともに、アンテナ部１０の大きさ、形状に合わせて中央に形成した整合回路２８の縦横比、線幅比および後述するスリット長を変えてインピーダンスの整合を図り、アンテナ部１０のインピーダンス特性と制御素子３のインピーダンス特性とのインピーダンス不整合に伴う通信特性の低下も抑えていることである。ここで、整合とは、アンテナ部１０と制御素子３との接続点において、高周波電流が反射することなくアンテナ部１０から制御素子３に入力されることである。これにより、アンテナ部１０から制御素子３に電力が効率よく供給され、通信特性がよくなる。
【００３８】
具体的にＲＦＩＤタグ２のアンテナ特性に整合させるように形成した整合回路について説明する。ここではＲＦＩＤタグ２の形状を変形させたものをＲＦＩＤタグ３１として説明する。
【００３９】
本実施の形態のＲＦＩＤタグ３１は、図４に示すように、制御素子３とアンテナ部３５を備えている。アンテナ部３５は、アンテナ素子３２、３３を有している。アンテナ素子３２、３３は、第１の接続端子２７ａまたは第２の接続端子２７ｂからの線路長がおおよそλ／４の電気長を有する構成にした。
【００４０】
そして、アンテナ部３５は、第１の接続端子２７ａと第２の接続端子２７ｂ間に制御素子３を実装するための制御素子実装部と、一端側が制御素子３に接続され、他端側には閉ループ（閉ループＡ、Ｂ）が形成された引出部３２ａ、３３ａと、これらの引出部３２ａ、３３ａそれぞれから左右外方向に延長された延長部３２ｂ、３３ｂとを備え、引出部３２ａ、３３ａに形成されている閉ループＡ、Ｂそれぞれの手前間を整合パターン３４ａにより電気的に接続して環状のループ部Ｃを形成し、第１の接続端子２７ａまたは第２の接続端子２７ｂからそれぞれに接続した閉ループＡ、Ｂの手前までの線路３４ｂ、３４ｃの線路長Ｌ１を線路波長λの１／８またはそれよりも短くして整合回路３４を形成している。ただし、λは下記の（数１）のように求められる。
【００４１】
【数１】
2010081007.tif 000003
【００４２】
ここで、λｏは自由空間波長、εｒは基材の比誘電率、Ｃｖは光速、ｆｏは周波数である。
【００４３】
これにより、ＲＦＩＤタグ３１には環状のループ部Ｃでのインダクタンス成分を線路３４ｂ、３４ｃの線路長Ｌ１により調整した整合回路３４が形成される。具体的には、ＲＦＩＤタグ３１に実装される制御素子３のキャパシタンス成分をキャンセルするように線路長Ｌ１を調整し、アンテナ部３５のインピーダンスを制御素子３のインピーダンスに対して複素共役な値となるように整合回路３４により整合させた。その結果としてアンテナ部３５のインピーダンス特性と制御素子３のインピーダンス特性とのインピーダンス不整合に伴うＲＦＩＤタグ３１の通信特性の低下を抑えている。
【００４４】
ところで、線路３４ｂ、３４ｃの線路長Ｌ１とインダクタンス成分の大きさとはおおよそ比例関係にあり、線路３４ｂ、３４ｃの線路長Ｌ１を長くすることによりインダクタンスを大きくすることができ、逆に線路３４ｂ、３４ｃの線路長Ｌ１を短くすることによりインダクタンスを小さくすることができる。
【００４５】
また、ＲＦＩＤタグ３１は、整合回路３４の整合パターン３４ａ部分の面積を増やしてアンテナ部３５の反射係数を大きくし、応答信号の振幅成分が増えるようにしている。例えば、整合パターン３４ａの線幅Ｌ２を線路３４ｂ、３４ｃの線路長Ｌ１の１．０倍から１．２倍としている。このように整合パターン３４ａの線幅Ｌ２を線路３４ｂ、３４ｃの線路長Ｌ１より広くし、アンテナ部３５の反射係数を大きくして応答信号の振幅特性を改善している。
【００４６】
また、整合パターン３４ａの線幅Ｌ２を広くしたことで機械的な負荷に対する強度を高めることもでき、管理物品１として、繰り返し曲げ応力、加圧などの負荷が加わる洗濯物の用途に適したものとなる。
【００４７】
次に、ＲＦＩＤタグ３１の大きさを図４のＹ方向に対しておおよそ半分にした場合の例について説明する。図５は本発明の実施の形態におけるＲＦＩＤタグの他の例を示すものであり、ＲＦＩＤタグ３６の正面図である。
【００４８】
図５に示すように、本実施の形態のＲＦＩＤタグ３６は制御素子３とアンテナ部４０とを備えている。例えば、ＲＦＩＤタグ３６の縦ＹｂをＲＦＩＤタグ３１の縦Ｙａ（図４）のおおよそ半分、横Ｘｂをおおよそ横Ｘａ（図４）と同じとなる形状にした。
【００４９】
アンテナ部４０は、アンテナ素子３７、３８を有している。アンテナ素子３７、３８は、第１の接続端子２７ａまたは第２の接続端子２７ｂからの線路長がおおよそλ／４の電気長を有する構成にした。
【００５０】
そして、アンテナ部４０は、第１の接続端子２７ａと第２の接続端子２７ｂ間に制御素子３を実装するための制御素子実装部と、一端側が制御素子３に接続され、他端側には閉ループ（閉ループＡ、Ｂ）が形成された引出部３７ａ、３８ａと、これらの引出部３７ａ、３８ａそれぞれから左右外方向に延長された延長部３７ｂ、３８ｂとを備え、引出部３７ａ、３８ａに形成されている閉ループＡ、Ｂそれぞれの手前間を整合パターン３９ａにより電気的に接続して環状のループ部Ｃを形成し、第１の接続端子２７ａまたは第２の接続端子２７ｂからそれぞれ接続した閉ループＡ、Ｂの手前までの線路３９ｂ、３９ｃの線路長をＬ１またはそれよりも短くして整合回路３９を形成した。
【００５１】
すなわち、ＲＦＩＤタグ３６は、ＲＦＩＤタグ３１とほぼ同じインダクタンスを得るために、整合回路３９の線路３９ｂ、３９ｃの線路長をＬ１またはそれよりも短くしてアンテナ部４０と制御素子３とのインピーダンスを整合させている。これにより、ＲＦＩＤタグ３６の通信特性の低下を抑えることができる。また、整合パターン３９ａの線幅Ｌ３は線路３９ｂ、３９ｃの線路長Ｌ１より狭くしている。例えば、本実施の形態では線幅Ｌ３は線路長Ｌ１の０．５倍から０．９倍である。
【００５２】
次に、ＲＦＩＤタグ３１の大きさを図４のＸ方向に対しておおよそ半分にした場合の例について説明する。図６は本発明の実施の形態におけるＲＦＩＤタグのさらに他の例を示すものであり、ＲＦＩＤタグ４１の正面図である。
【００５３】
図６に示すように、本実施の形態のＲＦＩＤタグ４１は、制御素子３とアンテナ部４５とを備えている。例えば、ＲＦＩＤタグ４１の横ＸｃをＲＦＩＤタグ３１の横Ｘａ（図４）のおおよそ半分、縦Ｙｃを縦Ｙａ（図４）と同じにした。
【００５４】
アンテナ部４５はアンテナ素子４２、４３を有し、アンテナ素子４２、４３は、第１の接続端子２７ａまたは第２の接続端子２７ｂからの線路長がおおよそλ／４の電気長を有する構成にした。
【００５５】
そして、アンテナ部４５は、第１の接続端子２７ａと第２の接続端子２７ｂ間に制御素子３を実装するための制御素子実装部と、一端側が制御素子３に接続され、他端側には閉ループＡ、Ｂが形成された引出部４２ａ、４３ａと、これらの引出部４２ａ、４３ａそれぞれから左右外方向に延長された延長部４２ｂ、４３ｂとを備え、引出部４２ａ、４３ａに形成されている閉ループＡ、Ｂそれぞれの手前間を整合パターン４４ａにより電気的に接続して環状のループ部Ｃを形成し、第１の接続端子２７ａまたは第２の接続端子２７ｂからそれぞれ接続した閉ループＡ、Ｂの手前までの線路４４ｂ、４４ｃの線路長をＬ４にして整合回路４４を形成している。しかしながら、このＲＦＩＤタグ４１の例では、横Ｘｃの長さが短いため、線路４４ｂ、４４ｃで長さＬ１を確保することが難しい。
【００５６】
そこでＲＦＩＤタグ４１では、整合パターン４４ａに長さＬ５のスリット４４ｄを新たに設け、長さＬ４と長さＬ５の和が長さＬ１になるように線路４４ｂ、４４ｃおよびスリット４４ｄを形成している。これにより整合回路４４を形成し、インダクタンス成分が小さくなるのを抑えて位相の変化を抑えている。その結果として、ＲＦＩＤタグ４１のアンテナ部４５と制御素子３とのインピーダンスを整合回路４４により整合させ、通信特性の低下を抑えている。
【００５７】
以上のように本実施の形態によれば、ＲＦＩＤタグ３１は、制御素子３とアンテナ部３５とを備え、アンテナ部３５は、アンテナ素子３２、３３を有している。そして、アンテナ部３５は、第１の接続端子２７ａと第２の接続端子２７ｂ間に制御素子３を実装するための制御素子実装部と、一端側が制御素子実装部に接続され、他端側には閉ループ（閉ループＡ、Ｂ）が形成された引出部３２ａ、３３ａと、これらの引出部３２ａ、３３ａそれぞれから左右外方向に延長された延長部３２ｂ、３３ｂとを備え、引出部３２ａ、３２ａに形成されている閉ループＡ、Ｂそれぞれの手前間を整合パターン３４ａにより電気的に接続して環状のループ部Ｃを形成し、第１の接続端子２７ａと第２の接続端子２７ｂからそれぞれ接続した閉ループＡ、Ｂの手前までの線路長を線路波長λの１／８またはそれよりも短くして整合回路３４を形成した構造としたので、アンテナ部３５と制御素子３とを接続したときにインピーダンスを整合回路３４により整合させることができ、インピーダンス不整合による通信特性の低下を抑えることが可能となる。
【００５８】
また、整合パターン３４ａの線幅Ｌ２を、線路３４ｂ、３４ｃの線路長Ｌ１より広くしている。例えば、整合パターン３４ａの線幅Ｌ２を、線路波長λの１／８より広くしている。このように整合パターン３４ａの線幅Ｌ２を線路３４ｂ、３４ｃの線路長Ｌ１より広くすることにより、アンテナ部３５の反射係数を大きくして応答信号の振幅特性を改善している。また、整合パターン３４ａの線幅Ｌ２を広くしたことで負荷に対する強度を高めることもでき、管理物品１として、繰り返し曲げ応力、加圧などの負荷が加わる洗濯物の用途に適したものとなる。
【００５９】
また、制御素子実装部の両側に設けたアンテナ部３５の延長部３２ｂ、３３ｂの線路長を線路波長λの１／４にしている。これにより、アンテナ部３５のアンテナ特性を最適にすることができるので、通信特性の低下を抑えることができる。
【００６０】
また、ＲＦＩＤタグ３１は、アンテナ部３５と、このアンテナ部３５の第１の接続端子２７ａと第２の接続端子２７ｂ間に接続される制御素子３とを備えている構造にしたので、アンテナ部３５と制御素子３とのインピーダンスを整合させることができ、通信特性の低下を抑えることができる。また、ＲＦＩＤタグ３６、４１も同様の構造にしたので、アンテナ部４０、４５と制御素子３とのインピーダンスを整合させることができ、通信特性の低下を抑えることができる。
【００６１】
また、ＲＦＩＤタグ４１では、横Ｘｃの長さが短いため（図６）、線路４４ｂ、４４ｃの線路長Ｌ４において長さＬ１を確保することが難しい。このため、整合パターン４４ａにスリット４４ｄを設け、このスリット４４ｄの長さＬ５と線路４４ｂ、４４ｃの線路長の長さＬ４との和を長さＬ１、すなわち、線路波長λの１／８に構成した整合回路４４を形成し、インダクタンスが小さくなるのを抑えて位相の変化を抑えた。その結果として、ＲＦＩＤタグ４１のアンテナ部４５と制御素子３とのインピーダンスを整合させ、通信特性の低下を抑えている。
【００６２】
また、管理システム３０は、上記のＲＦＩＤタグと、このＲＦＩＤタグと交信するリーダライタ５と、このリーダライタ５に接続された管理装置４とを備えた構成としたので、ＲＦＩＤタグは制御素子３とインピーダンスを整合させることができ、通信特性の低下を抑えることができる。これにより、管理物品１が離れた場所にあってもリーダライタ５により、管理物品１に取り付けられたＲＦＩＤタグを読み取ることができ、その結果として効率よく管理物品１を管理することができる。
【産業上の利用可能性】
【００６３】
以上のように本発明は、アンテナに、第１の接続端子と第２の接続端子間に制御素子を実装するための制御素子実装部と、一端側が制御素子実装部に接続され、他端側には閉ループが形成された複数の引出部と、これらの引出部それぞれから延長された複数の延長部とを備え、複数の引出部に形成されている閉ループそれぞれの手前間を整合パターンにより電気的に接続して環状のループ部を形成し、第１の接続端子または第２の接続端子からそれぞれ接続した閉ループの手前までの線路長を線路波長λの１／８またはそれよりも短くして整合回路を形成した構造としたので、アンテナと制御素子とを接続したときにインピーダンスを整合回路により整合させることができ、インピーダンス不整合による通信特性の低下を抑えることが可能なＲＦＩＤタグ用アンテナ、ＲＦＩＤタグおよび管理システムとして有用である。
【図面の簡単な説明】
【００６４】
【図１】本発明の実施の形態における管理システムの概略構成図
【図２】同管理システムの電気的なブロック図
【図３】同管理システムに用いられるＲＦＩＤタグの正面図
【図４】同管理システムに用いられるＲＦＩＤタグの他の例の正面図
【図５】同管理システムに用いられるＲＦＩＤタグのさらに他の例の正面図
【図６】同管理システムに用いられるＲＦＩＤタグのさらに他の例の正面図
【符号の説明】
【００６５】
１    管理物品
２，３１，３６，４１    ＲＦＩＤタグ
３    制御素子
３ａ    記憶回路
４    管理装置
５    リーダライタ
６，１３    制御回路
７，１５    変調回路
８    送信回路
９，１８    アンテナ
１０，３５，４０，４５    アンテナ部
１１    ダイオード
１２，２３    コンデンサ
１４，２０    復調回路
１６    スイッチ
１７    グランド部
１９    受信回路
２１    電源回路
２２    クロック回路
２４    シート
２５，２６，３２，３３，３７，３８，４２，４３    アンテナ素子
２５ａ，２６ａ，３２ａ，３３ａ，３７ａ，３８ａ，４２ａ，４３ａ    引出部
２５ｂ，２６ｂ，３２ｂ，３３ｂ，３７ｂ，３８ｂ，４２ｂ，４３ｂ    延長部
２７    制御素子実装部
２７ａ    第１の接続端子
２７ｂ    第２の接続端子
２８，３４，３９，４４    整合回路
２８ａ，３４ａ，３９ａ，４４ａ    整合パターン
２９    コーナー部
３０    管理システム
３４ｂ，３４ｃ，３９ｂ，３９ｃ，４４ｂ，４４ｃ    線路
４４ｄ    スリット
Ａ，Ｂ    閉ループ
Ｃ    ループ部
【図１】
2010081007.tif 000004
【図２】
2010081007.tif 000005
【図３】
2010081007.tif 000006
【図４】
2010081007.tif 000007
【図５】
2010081007.tif 000008
【図６】
2010081007.tif 000009